(57)【要約】【課題】  従来の配管支持金具は、対象の配管外径に対して、一対一対応が従来のラインナップになっている。そのため、製品製造や在庫管理などの面で極めて煩雑・面倒であった。【解決手段】  配管支持金具用スペーサー（以下「スペーサー」）１０は、配管９０を支持する配管支持金具８０のバンド部分８１と配管９０との間に介在するものである。これによって、配管支持金具８０は、本来の支持の対象である配管のほかに、これよりも小異径の配管も支持することが可能になる。【選択図】  図１
2018031441.tif 000002
【特許請求の範囲】
【請求項１】
配管を支持する配管支持金具のバンド部分と配管との間に介在させて、複数のサイズの配管を１つの配管支持金具で支持又は振れ止めを可能にすることを特徴とする配管支持金具用スペーサー。
【請求項２】
バンド部分に嵌合することを特徴とする請求項１記載の配管支持金具用スペーサー。
【請求項３】
２層以上重ね合わせてなることを特徴とする請求項１又は２記載の配管支持金具用スペーサー。
【請求項４】
スペーサーどうしを嵌合して２層以上重ね合わせてなることを特徴とする請求項３記載の配管支持金具用スペーサー。
【請求項５】
配管の周方向に分割されて組となるスペーサーを連結するための連結構造を備えるか、又はＣ字形に形成したことを特徴とする請求項１から４のいずれかに記載の配管支持金具用スペーサー。
【請求項６】
配管の周方向に分割されて組となるスペーサーをそれぞれバンド部分に嵌合することを特徴とする請求項２から４のいずれかに記載の配管支持金具用スペーサー。
【請求項７】
配管の周方向に分割されて組となるスペーサーを環状に連結して、配管に取り付けることを特徴とする請求項１，３，４，５記載の配管支持金具用スペーサー。
【請求項８】
長尺なシートを配管に巻き付けたことを特徴とする請求項１記載の配管支持金具用スペーサー。
【請求項９】
スペーサーとバンド部分又は／及びスペーサーどうしが着脱自在であることを特徴とする請求項１から８のいずれかに記載の配管支持金具用スペーサー。
【請求項１０】
請求項１から９のいずれかに記載の配管支持金具用スペーサーを備えた配管支持構造。
【発明の詳細な説明】
【技術分野】
【０００１】
本願発明は、配管、特に空調冷媒配管を支持する配管の支持金具に関するものである。
【背景技術】
【０００２】
従来の配管支持金具は、対象の配管外径に対して、一対一対応が従来のラインナップになっている。そのため、製品製造や在庫管理などの面で極めて煩雑・面倒であり、これを解消する手段として、「スペーサー」を使用することが考えられる。
【０００３】
ところで、配管施工にスペーサを使用する技術はすでに存在をしている（特許文献１〜特許文献３など）。
【先行技術文献】
【特許文献】
【０００４】
【特許文献１】特開平１１−３０４０５４号公報
【特許文献２】特開２０１０−０３１９４８号公報
【特許文献３】特開２００２−１８１２４３号公報
【発明の概要】
【発明が解決しようとする課題】
【０００５】
しかし、特許文献１に開示されたスペーサーは、配管の熱伸縮に対応して、配管を長手方向に摺動させることを目的とするものである。
また、特許文献２に開示されたスペーサーは、配管と断熱材との間に空気層からなる断熱層を形成し、断熱効果を高めることを目的とするものである。
さらに、特許文献３に開示されたスペーサーは、大径の外管の中に小径の内管を付設することを目的とするものである。
【０００６】
従って、これまでに、一種類の配管支持金具（バンド）によって、複数配管外径に使用（対応）できるスペーサーは存在しておらず、本願発明者は、スペーサーを使用することで、これまでに存在しなかった複数配管対応の配管支持金具を新規に提供できると考え、鋭意試験・研究を行い、本願発明を完成するに至った。
【課題を解決するための手段】
【０００７】
上記目的を達成するために、本願発明の第１の発明は、配管を支持する配管支持金具のバンド部分と配管との間に介在させて、複数のサイズの配管を１つの配管支持金具で支持又は振り止めを可能にすることを特徴とする配管支持金具用スペーサーである。
第２の発明は、バンド部分に嵌合することを特徴とする同配管支持金具用スペーサーである。
第３の発明は、２層以上重ね合わせてなることを特徴とする同配管支持金具用スペーサーである。
第４の発明は、スペーサーどうしを嵌合して２層以上重ね合わせてなることを特徴とする同配管支持金具用スペーサーである。
第５の発明は、配管の周方向に分割されて組となるスペーサーを連結するための連結構造を備えるか、又はＣ字形に形成したことを特徴とする同配管支持金具用スペーサーである。
第６の発明は、配管の周方向に分割されて組となるスペーサーをそれぞれバンド部分に嵌合することを特徴とする同配管支持金具用スペーサーである。
第７の発明は、配管の周方向に分割されて組となるスペーサーを環状に連結して、配管に取り付けることを特徴とする同配管支持金具用スペーサーである。
第８の発明は、長尺なシートを配管に巻き付けたことを特徴とする同配管支持金具用スペーサーである。
第９の発明は、スペーサーとバンド部分又は／及びスペーサーどうしが着脱自在であることを特徴とする同配管支持金具用スペーサーである。
第１０の発明は、上記第１の発明乃至第９の発明に係る配管支持金具用スペーサーを備えた配管支持構造である。
【発明の効果】
【０００８】
上記した本願発明によれば、以下のような効果を有する。
（１）本願発明は、配管を支持する配管支持金具のバンド部分と配管との間にスペーサーを介在させることで、そのバンド部分に本来的に適用される配管径（サイズ）とは異なる別の複数のサイズの配管を１つの配管支持金具で支持又は振れ止めをすることが可能になる。
（２）スペーサーを配管支持金具のバンド部分に嵌合させることで、スペーサーのズレや外れなどが無くなり、安定する。
（３）スペーサーを２層以上重ね合わせてなることで、様々なサイズの配管に柔軟に対応することができる。
（４）スペーサーどうしを嵌合して２層以上重ね合わせてなることで、スペーサーどうしのズレや外れなどが無くなり、安定する。
（５）配管の長手方向に分割されて組となるスペーサーを連結するための連結構造を備えたスペーサー、又はＣ字形に形成したスペーサーにすることで、施工が容易になる。
（６）配管の長手方向に分割されて組となるスペーサーをそれぞれバンド部分に嵌合することで、分割された各スペーサーパーツがそれぞれバンド部分に付いているので、各スペーサーパーツどうしを連結する必要がなくなる。
（７）配管の長手方向に分割されて組となるスペーサーを環状に連結して、配管に取り付けることで、スペーサーだけで配管の径を形成・維持できるようになる。
（８）長尺なシートを配管に巻き付けることによっても、スペーサーになり得る。
（９）スペーサーとバンド部分又は／及びスペーサーどうしを着脱自在な構造にすることで、様々な仕様・状況に対応できて利便性が向上する。なお、スペーサーは接着剤やステープラ等を用いて取り付けることも可能である。
【図面の簡単な説明】
【０００９】
【図１】配管支持金具用スペーサーの第１実施形態を示す説明図。
【図２】配管支持金具用スペーサーの第２実施形態を示す説明図。
【図３】配管支持金具用スペーサーの第３実施形態を示す説明図。
【図４】配管支持金具用スペーサーの第４実施形態を示す説明図。
【図５】配管支持金具用スペーサーの第５実施形態を示す説明図。
【図６】配管支持金具用スペーサーの第６実施形態を示す説明図。
【発明を実施するための形態】
【００１０】
本願発明の実施形態を図面に基づいて説明する。
図１は、本願発明に係る配管支持金具用スペーサーの第１実施形態を示す説明図であり、本願発明の基本構造の一例を示すものである。
図１に図示するように、配管支持金具用スペーサー（以下「スペーサー」）１０は、配管９０を支持する配管支持金具８０のバンド部分８１と配管９０との間に介在するものである。これによって、配管支持金具８０は、本来の支持の対象である配管のほかに、これよりも小異径の配管も支持することが可能になる。
【００１１】
ここで、スペーサー１０は、特にその素材は問わないが、成型性と耐久性及び経済性を考えると樹脂製、例えば、ＰＰ（ポリプロピレン）などが好ましい（その他の実施形態においても同じ）。
また、上記した本願発明の基本構造に、次のような追加構造を備えても良い。
例えば、スペーサー１０の当接突起１１は、配管支持金具８０のバンド部分８１と当接する当接面２０と同じ高さ（厚み）を有してバンド部分８１と当接するものである。これを設けることで、製造に当たりスペーサー１０の樹脂量を節約した形にできる（その他の実施形態においても同じ）。
さらに、スペーサー１０は、配管９０の長手方向にフレア形状１２にすることで、配管９０の損傷を防止できる。
【００１２】
図２は、本願発明に係る配管支持金具用スペーサーの第２実施形態を示す説明図であり、スペーサーとバンド部分との嵌合構造を示すものである。
図２（ａ）は、スペーサ−１０Ａに係止部１３Ａ，１３Ａを備え、それが配管支持金具８０に係止することによって嵌合する構造となっている。
図２（ｂ）は、スペーサ−１０Ｂに係止部１３Ｂを備え、それが配管支持金具８０（の係止孔８２）に係止することによって嵌合する構造となっている。
図２（ｃ）は、スペーサ−１０Ｃに係止部１３Ｃを備え、それが配管支持金具８０に係止することによって嵌合する構造となっている。
図２（ｄ）は、分割されたスペーサ−１０Ｋ，１０Ｋに係止部１３Ｋ，１３Ｋを備え、それらが配管支持金具８０に係止することによって嵌合する構造となっている。
【００１３】
図３は、本願発明に係る配管支持金具用スペーサーの第３実施形態を示す説明図であり、スペーサーの重ね合わせ構造を示すものである。
図３に図示するように、スペーサー１０Ｄは、スペーサー１０Ｄ１にスペーサー１０Ｄ２を重ね合わせた２層構造になっている。このようにスペーサーを周方向に重ね合わせることで、配管支持金具は様々なサイズの配管に柔軟に対応することができるようになる。なお、重ね合わせは、図示の２層に限定されず、２層以上重ね合わせても良い。
【００１４】
図４は、本願発明に係る配管支持金具用スペーサーの第４実施形態を示す説明図であり、スペーサーの重ね合わせの嵌合構造を示すものである。
図３に図示したスペーサー１０Ｄ２の係止部１４Ｄ２とスペーサー１０Ｄ１の係止孔１５Ｄ１との嵌合の他に、次のような嵌合構造が考えられる（但し、図示のものに限定する趣旨ではない。）
図４（ａ）は、スペーサ−１０Ｅ２の係止部１４Ｅ２，１４Ｅ２が、スペーサー１０Ｅ１の係止孔１５Ｅ１，１５Ｅ１に係止することによって嵌合する構造となっている。
図４（ｂ）は、スペーサ−１０Ｆ２の係止部１４Ｆ２，１４Ｆ２が、スペーサー１０Ｆ１の両端に係止することによって嵌合する構造となっている。
図４（ｃ）は、スペーサ−１０Ｇ２の係止溝１６Ｇ２，１６Ｇ２を、スペーサー１０Ｇ１の両端に差し込むことによって嵌合する構造となっている。
【００１５】
図５は、本願発明に係る配管支持金具用スペーサーの第５実施形態を示す説明図であり、組となるスペーサーの一体化等を示すものである。
図５（ａ）は、配管の周方向に分割されて組となるスペーサー１０Ｈを、ヒンジにより連結構造１７Ｈとしたものである。
図５（ｂ）は、配管の周方向に分割されて組となるスペーサー１０Ｉを、組み式により連結構造１７Ｉとしたものである。
図５（ｃ）は、Ｃ字形に形成したスペーサー１０Ｌを用いて欠円部分から配管９０を差し込むことによりスペーサーを取り付ける構造であって、このようなスペーサーの一体化であってもよい。
【００１６】
また、図示省略するが、配管の周方向に分割されて組となるスペーサーについては、次のような構造であってもよい。
（１）配管の周方向で分割されて組となるスペーサーをそれぞれバンド部分に嵌合する。これにより、分割された各スペーサーパーツがそれぞれバンド部分に付いているので、各スペーサーパーツどうしを連結する必要がなくなる（図５に図示する連結構造が不要になる）。
（２）配管の周方向で分割されて組となるスペーサーを環状に連結しながら（嵌合・引っかけ等の機構を用いて）、配管に直接スペーサーを取り付けることで、スペーサーだけで配管の径を形成・維持できるようになる。すなわち、図２に図示するようにスペーサーを配管支持金具のバンド部分に取り付ける必要がなくなる。
【００１７】
図６は、本願発明に係る配管支持金具用スペーサーの第６実施形態を示す説明図であり、長尺シート状スペーサーを示すものである。
図示するように、長尺なシートに係止部１８Ｊと係止孔１９Ｊを備え、これを配管９０に巻き付けてスペーサー１０Ｊとしたものである。係止部１８Ｊは係止孔１９Ｊに係止してスペーサー１０Ｊの形状を維持し、係止部１３Ｊによって配管支持金具８０に嵌合させる。なお、配管９０の外径によっては係止部と係止孔の組合せを柔軟にすること（例えば、係止部１８Ｊ１を係止孔１９Ｊ２に係止させること等）で、様々なサイズの配管に対応できる。
【産業上の利用可能性】
【００１８】
本願発明に係る配管支持金具用スペーサーは、配管、特に空調冷媒配管を支持する配管の支持金具に広く利用できるものである。
【符号の説明】
【００１９】
１０  配管支持金具用スペーサー（スペーサー）
１１  当接突起
１２  フレア形状
２０  当接面
８０  配管支持金具
８１  バンド部分
９０  配管
【図１】
2018031441.tif 000003
【図２】
2018031441.tif 000004
【図３】
2018031441.tif 000005
【図４】
2018031441.tif 000006
【図５】
2018031441.tif 000007
【図６】
2018031441.tif 000008